(57)【要約】【課題】本発明は、異物捕集量の向上を図ること。【解決手段】  本発明は、回転自在なる内槽を収納し洗濯水を溜める外槽と、この外槽の底部から流出する洗濯水に含まれる異物を捕集するフィルタ装置を備え、前記フィルタ装置は、フィルタケースと、前記フィルタケースに着脱自在に装着され、前記異物を捕集するフィルタを有し、前記フィルタケースは、前記底部から流出する洗濯水が流れ込むケース流入路と、前記フィルタで異物が捕集された前記洗濯水を排水するケース排水路を有し、前記フィルタは、異物が捕集される捕集収容部と、前記洗濯水が前記ケース流入路から前記捕集収容部に流れ込むフィルタ流入口と、前記洗濯水から前記異物を捕集する前記捕集収容部に設けた目孔と、前記フィルタ流入口から前記ケース排水路に向かう流れの行く手を阻んで分散させる前記捕集収容部に設けた分散壁部を有し、前記目孔がない前記分散壁部は前記ケース排水路側に設けたこと。【選択図】図１２
2012080928.tif 000002
【特許請求の範囲】
【請求項１】
回転自在なる内槽を収納し洗濯水を溜める外槽と、この外槽の底部から流出する洗濯水に含まれる異物を捕集するフィルタ装置を備え、
前記フィルタ装置は、フィルタケースと、前記フィルタケースに着脱自在に装着され、前記異物を捕集するフィルタを有し、
前記フィルタケースは、前記底部から流出する洗濯水が流れ込むケース流入路と、前記フィルタで異物が捕集された前記洗濯水を排水するケース排水路を有し、
前記フィルタは、異物が捕集される捕集収容部と、前記洗濯水が前記ケース流入路から前記捕集収容部に流れ込むフィルタ流入口と、前記洗濯水から前記異物を捕集する前記捕集収容部に設けた目孔と、前記フィルタ流入口から前記ケース排水路に向かう流れの行く手を阻んで分散させる前記捕集収容部に設けた分散壁部を有し、前記目孔がない前記分散壁部は前記ケース排水路側に設けたことを特徴とする洗濯機または洗濯乾燥機。
【請求項２】
請求項１記載の洗濯機または洗濯乾燥機において、
前記分散壁部は前記洗濯水の流れが前記フィルタ流入口から前記ケース排水路に向かう方向に位置することを特徴とする洗濯機または洗濯乾燥機。
【請求項３】
回転自在なる内槽を収納し洗濯水を溜める外槽と、この外槽から流出する洗濯水に含まれる異物を捕集するフィルタ装置を備え、
前記フィルタ装置は、フィルタケースと、前記フィルタケースに着脱自在に装着され、前記異物を捕集するフィルタと、循環ポンプを有し、
前記フィルタケースは前記外槽から流出する洗濯水が流れ込むケース流入路と、前記循環ポンプの吸込口と連通する流出連通口を有し、
前記フィルタは、異物が捕集される捕集収容部と、前記洗濯水が前記ケース流入路から前記捕集収容部に流れ込むフィルタ流入口と、前記洗濯水から前記異物を捕集する前記捕集収容部に設けた目孔と、前記フィルタ流入口から前記流出連通口に向かう流れの行く手を阻んで分散させる前記捕集収容部に設けた分散壁部を有し、前記目孔がない前記分散壁部は前記流出連通口側に設けたことを特徴とする洗濯機または洗濯乾燥機。
【請求項４】
請求項３記載の洗濯機または洗濯乾燥機において、
前記分散壁部は、前記流出連通口とは洗濯水が流れる間隔を空けて対向していることを特徴とする洗濯機または洗濯乾燥機。
【請求項５】
請求項３記載の洗濯機または洗濯乾燥機において、
筒状の前記フィルタケースは、一端に前記フィルタを出し入れする挿入口と、他端側に前記ケース流入路および前記循環ポンプを有し、
前記循環ポンプ側を下に、前記挿入口を上にして前記フィルタケースが傾斜するように前記フィルタ装置を配置したことを特徴とする洗濯機または洗濯乾燥機。
【請求項６】
請求項３記載の洗濯機または洗濯乾燥機において、
筒状の前記フィルタケースは、一端に前記フィルタを出し入れする挿入口と、他端側に前記ケース流入路、前記流出連通口および前記循環ポンプを有し、
前記フィルタは前記分散壁部側が前記循環ポンプ側に来るよう前記フィルタケースに装着され、
前記分散壁部がある方での前記フィルタの外側面と前記フィルタケースの内側との間は、前記目孔を通過した洗濯水が前記流出連通口へと流れるケース内部流路があることを特徴とする洗濯機または洗濯乾燥機。
【請求項７】
請求項５記載の洗濯機または洗濯乾燥機において、
前記捕集収容部は、上面側が開口する樋形状を有し、
前記フィルタは、前記捕集収容部の開口を開け閉めする回動自在になる捕集収容蓋を有することを特徴とする洗濯機または洗濯乾燥機。
【請求項８】
請求項７記載の洗濯機または洗濯乾燥機において、
前記蓋フィルタは前記フィルタの下端側で回動自在に支持され、
前記フィルタ流入口は前記捕集収容部と前記捕集収容蓋に跨って形成され、
前記捕集収容部は上端が前記外槽に溜まる洗濯水の水位より上側に位置することを特徴とする洗濯機または洗濯乾燥機。
【発明の詳細な説明】
【技術分野】
【０００１】
本発明は、洗濯水に含まれる糸くず、衣服用のボタン、衣服用の付属具等の異物を洗濯水から捕集するフィルタ装置を備えた洗濯機および洗濯乾燥機に関する。
【背景技術】
【０００２】
フィルタ装置を備えた洗濯機および洗濯乾燥機は、特許文献１（特開２００５−１８５３１４号公報）、特許文献２（特開２００６−２５５３１７号公報）に示されている。
【０００３】
フィルタ装置は、フィルタケースと、フィルタケースに着脱自在に装着された異物を捕集するフィルタと、循環ポンプを有する。そして、外槽の底部から洗濯水をフィルタ装置に引き込んで異物をフィルタで捕集し、異物が濾過された洗濯水を循環ポンプにより外槽に戻す。これにより、洗濯物に付着する糸くず等の異物を除去することができる。
【先行技術文献】
【特許文献】
【０００４】
【特許文献１】特開２００５−１８５３１４号公報
【特許文献２】特開２００６−２５５３１７号公報
【発明の概要】
【発明が解決しようとする課題】
【０００５】
フィルタ装置への異物捕集は一個所に片寄る傾向がある。これは、フィルタ装置に引き込まれた洗濯水は循環ポンプの吸い込みに引かれて循環ポンプの吸込口に向かう流れが集中するからである。フィルタには、循環ポンプの吸込口に近いところだけ異物捕集が集中し、フィルタ全体に亘って異物の捕集が行われないので、異物捕集量を高めることができない。
【０００６】
本発明は、上記の課題に鑑み、異物捕集の集中を解消して異物捕集量の向上を図ることができるフィルタ装置を備えた洗濯機および洗濯乾燥機を提供することを目的とする。
【課題を解決するための手段】
【０００７】
本発明は、回転自在なる内槽を収納し洗濯水を溜める外槽と、この外槽の底部から流出する洗濯水に含まれる異物を捕集するフィルタ装置を備え、前記フィルタ装置は、フィルタケースと、前記フィルタケースに着脱自在に装着され、前記異物を捕集するフィルタを有し、前記フィルタケースは、前記底部から流出する洗濯水が流れ込むケース流入路と、前記フィルタで異物が捕集された前記洗濯水を排水するケース排水路を有し、前記フィルタは、異物が捕集される捕集収容部と、前記洗濯水が前記ケース流入路から前記捕集収容部に流れ込むフィルタ流入口と、前記洗濯水から前記異物を捕集する前記捕集収容部に設けた目孔と、前記フィルタ流入口から前記ケース排水路に向かう流れの行く手を阻んで分散させる前記捕集収容部に設けた分散壁部を有し、前記目孔がない前記分散壁部は前記ケース排水路側に設けたことを特徴とする。
【０００８】
また、本発明は、回転自在なる内槽を収納し洗濯水を溜める外槽と、この外槽から流出する洗濯水に含まれる異物を捕集するフィルタ装置を備え、前記フィルタ装置は、フィルタケースと、前記フィルタケースに着脱自在に装着され、前記異物を捕集するフィルタと、循環ポンプを有し、前記フィルタケースは前記外槽から流出する洗濯水が流れ込むケース流入路と、前記循環ポンプの吸込口と連通する流出連通口を有し、前記フィルタは、異物が捕集される捕集収容部と、前記洗濯水が前記ケース流入路から前記捕集収容部に流れ込むフィルタ流入口と、前記洗濯水から前記異物を捕集する前記捕集収容部に設けた目孔と、前記フィルタ流入口から前記流出連通口に向かう流れの行く手を阻んで分散させる前記捕集収容部に設けた分散壁部を有し、前記目孔がない前記分散壁部は前記流出連通口側に設けたことを特徴とする。
【発明の効果】
【０００９】
本発明によれば、捕集収容部に分散壁部を設けることにより、フィルタ流入口からフィルタに流入した洗濯水は分散壁部に突き当たって分散するので、異物の捕集が広範囲に拡がり、異物収集量が向上する。
【図面の簡単な説明】
【００１０】
【図１】本発明の実施例に係るもので、ドラム式洗濯乾燥機を示す外観図である。
【図２】本発明の実施例に係るもので、ドラム式洗濯乾燥機の概略構造を筐体の側板を外して示す側面図である。
【図３】本発明の実施例に係るもので、ドラム式洗濯乾燥機の概略構造を筐体の上カバーを外して示す上面図である。
【図４】本発明の実施例に係るもので、図２における外槽と洗濯兼脱水槽のＡ−Ａ断面図である。
【図５】本発明の実施例に係るもので、外槽及び洗濯兼脱水槽の底部を示す図２のＢ−Ｂ縦断面図である。
【図６】本発明の実施例に係るもので、図５における外槽と洗濯兼脱水槽のＢ−Ｂ断面図である。
【図７】本発明の実施例に係るもので、蒸気弁の縦断面図である。
【図８】本発明の実施例に係るもので、循環ポンプ、フィルタ装置および配管系を示す斜視図である。
【図９】本発明の実施例に係るもので、フィルタ装置を循環ポンプ側から見た側面図である。
【図１０】本発明の実施例に係るもので、フィルタ装置を斜め上側から見た斜視図である。
【図１１】本発明の実施例に係るもので、図１０のＡ−Ａ断面図である。
【図１２】本発明の実施例に係るもので、図１０のＢ−Ｂ断面図である。
【図１３】本発明の実施例に係るもので、フィルタ単体を側面から見た側面図である。
【図１４】本発明の実施例に係るもので、蓋フィルタが開かれた状態でのフィルタ単体を側面から見た側面図である。
【図１５】本発明の実施例に係るもので、蓋フィルタが開かれた状態でのフィルタ単体を斜め上側から見た斜視図である。
【図１６】本発明の実施例に係るもので、図１０のＣ−Ｃ断面図である。
【図１７】本発明の実施例に係るもので、循環ポンプのケーシング内部形状を示す斜視図である。
【図１８】本発明の実施例に係るもので、循環ポンプのランナーを示す斜視図である。
【図１９】本発明の実施例に係るもので、図２に示した洗濯乾燥機の制御系のブロック線図である。
【図２０】本発明の実施例に係るもので、図１９に示した制御系のコントローラにおけるマイクロコンピュータが実行する制御処理の一部を示すフローチャートである。
【図２１】本発明の実施例に係るもので、図１９に示した制御系のコントローラにおけるマイクロコンピュータが実行する制御処理の他の一部を示すフローチャートである。
【図２２】本発明の実施例に係るもので、流入口に整流部材を設けた場合の外槽及び洗濯兼脱水槽の底部を示す縦断面図である。
【図２３】本発明の実施例に係るもので、図２２のＣ−Ｃ断面図である。
【発明を実施するための形態】
【００１１】
以下、本発明の一実施例について、図面を用いてドラム式洗濯乾燥機の概要から説明する。
【００１２】
図１は本発明の一実施の形態例に係るドラム式洗濯乾燥機の外観図である。図２は内部の構造を示す側面図、図３は内部の構造を示す平面図（上補強材３６の一部を切断して示している）、図４は図２の２点鎖線で切断し矢印Ａ−Ａから見た断面図、図５は洗濯槽底部の断面図、図６は図５中２点鎖線で切断し矢印Ｂ−Ｂからみた断面図である。
【００１３】
１は、外郭を構成する筐体である。筐体１は、ベース１ｈの上に取り付けられており、左右の側板１ａ，１ｂ，前面カバー１ｃ，背面カバー１ｄ，上面カバー１ｅ，下部前面カバー１ｆで構成されている。左右の側板１ａ，１ｂは、コの字型の上補強材３６，前補強材３７，後補強材（図示せず）で結合しており、ベース１ｈを含めて箱状の筐体１を形成し、筐体として十分な強度を有している。
【００１４】
９は、前面カバー１ｃの略中央に設けた洗濯物を出し入れするための投入口を塞ぐドアで、前補強材３７に設けたヒンジ９ｃで開閉可能に支持されている。ドア開放ボタン９ｄを押すことロック機構（図示せず）が外れて開き、ドアを前面カバー１ｃに押し付けることでロックされて閉じる。前補強材３７は、後述する外槽の開口部と同心に、洗濯物を出し入れするための円形の開口部を有している。
【００１５】
６は、筐体１の上部中央に設けた操作パネルで、電源スイッチ３９，操作ボタン１２，１３，表示器１４を備える。操作パネル６は、筐体１下部に設けた制御装置３８に電気的に接続している。
【００１６】
１９は、筐体１内の上部左側に設けた上部および前部に開口を有する洗剤容器で、前部開口１９ｂから引き出し式の洗剤トレイ７を装着する。洗剤類を入れる場合は、洗剤トレイ７を図１中２点鎖線で示すように引き出す。洗剤容器１９は、筐体１の上補強材３６に固定されている。また、洗剤容器１９の左側面、やや後方に出水口１９ａを有している。従って、洗剤容器１９底面は出水口１９ａの位置が最も低くなるようなすり鉢状に形成されている。
【００１７】
洗剤容器１９の後ろ側には、給水電磁弁１６や風呂水給水ポンプ１７，水位センサ３４など給水に関連する部品を設けてある。洗剤容器１９の上部開口１９ｃには、給水電磁弁１６を取り付けた給水ユニット１５を備える。上面カバー１ｅには、水道栓からの給水ホース接続口１６ａ，風呂の残り湯の吸水ホース接続口１７ａが設けてある。
【００１８】
３は、回転可能に支持された円筒状の洗濯兼脱水槽であり、その外周壁および底壁に通水および通風のための多数の貫通孔３ｂを有し、前側端面に洗濯物を出し入れするための開口部３ａを設けてある。開口部３ａの外側には洗濯兼脱水槽３と一体の流体バランサ
３ｃを備えている。また、洗濯兼脱水槽３の回転中心軸は、水平または開口部側が高くなるように傾斜している。
【００１９】
２は、円筒状の外槽であり、洗濯兼脱水槽３を同軸上に内包し、前面は開口し、後側端面の外側中央にモータ４を取り付ける。モータ４の回転軸は、外槽２を貫通し、洗濯兼脱水槽３と結合している。前面の開口部には外槽カバー２ｄを設け、外槽内への貯水を可能としている。外槽４は、下側をベース１ｈに固定されたダンパ５で防振支持されている。また、外槽４の上側は上部補強部材３６に取り付けた補助ばね３３で支持されており、外槽４の前後方向へ倒れを防ぐ。外槽カバー４ｄの前側中央には、洗濯物を出し入れするための開口部２ｃを有している。本開口部２ｃと前補強材３７に設けた開口部は、ゴム製のベローズ１０で接続しており、ドア９を閉じることで外槽２を水封する。
【００２０】
外槽２の左側外側面後部には、外槽２内へ水や洗剤類を供給する給水口２ａを設けてある。給水口２ａと洗剤容器１９の出水口１９ａは、ゴム製の蛇腹管Ａ２０で接続する。給水口２ａは蒸気弁１１を内蔵している。
【００２１】
図７は蒸気弁１１の詳細を示す断面図である。蒸気弁１１は、略円筒形状で、外径部に外槽２の給水口２ａに装着するための庇部を有している。内径部は上流側内径φｄ１より下流側内径φｄ２の方が大きく、両内径部はリング状の傾斜面１１ａで接続されている。傾斜面１１ａは洗濯兼脱水槽３側が高く外槽２の外周側が低くなるように形成している。傾斜面１１ａの最上部には内側に突出した突出部１１ｂを有しており、突出部１１ｂには複数本のピン１１ｃを設けてある。傾斜面１１ａには、傾斜面１１ａを塞ぐよう、楕円状のシート１１ｄを装着している。シート１１ｄの長軸側端部にはピン１１ｃと同じ配置の孔を設けてあり、この孔をピン１１ｃに入れ加締めることでシート１１ｄを傾斜面１１ａに固定する。従って、シート１１ｄは片持ち支持で傾斜面１１ａに固定されている。
【００２２】
シート１１ｄは、可撓性のゴムや合成樹脂製である。シート１１ｄに上側から力が作用すると（給水時）、図７中２点鎖線で示すように変形し蒸気弁１１は開となり水が流れる。一方、乾燥時のように外槽内の圧力が洗剤容器１９内の圧力（大気圧）より高いとシート１１ｄに下側から力が作用し、シート１１ｄは傾斜面１１ｃに押しつけられ、蒸気弁
１１は閉となる。
【００２３】
外槽２の底面には、凹状の窪み部２ａが軸方向に設けてある。窪み部２ａの底面は、前側から後側に下がる傾斜面になっており、窪み部２ａの後ろ側最下部に排水口２１が設けてある。排水口２１には排水ホース２２を接続する。窪み部２ａの前側には底部循環水の流入口１８が設けてある。また、窪み部２ａの上部には、窪み部２ａの幅の略半分を覆うように外槽２外周壁の内周面から連続する隔壁２ｂを有している。隔壁２ｂは洗濯兼脱水槽３の脱水時の回転方向に対して対抗する方向に設ける。排水口２１及び流入口１８は、窪み部２ａの幅方向の中心から洗濯兼脱水槽３の回転方向にずれた位置に設置してある。このため、排水口２１と流入口１８の上部には隔壁２ｂがある。
【００２４】
窪み部２ａは、脱水時に洗濯兼脱水槽３の回転による遠心力で、貫通孔３ｂから外槽２内周面に出て、洗濯兼脱水槽３の回転方向と同一方向に流れる水を受け止め、排水口２１へ導く。隔壁２ｂは、窪み部２ａへ入った水が再び外槽２内へ循環しないように堰き止める作用を有する。
【００２５】
外槽９の後部端面の最下部にはエアトラップ３６が設けてあり、チューブ３５で水位センサ３４と接続し、外槽２内の水位を検出する。
【００２６】
外槽２とベース１ｈとのすき間には、循環ポンプ２４，フィルタケース２３，排水弁
２５を設けてある。フィルタケース２３は、前側に開口部を有する円筒状で、内部に着脱可能なフィルタ２３ｃが装着されており、洗濯水中の異物や糸くずを捕集する。フィルタケース２３は、下部前面カバー１ｆに設けた扉１ｇを開けることで、取っ手２３ｄを回すことでフィルタ２３ｃを容易に着脱できるよう、前側が高くなるように傾斜している。循環ポンプ２４を中心とする洗濯水の循環系に関しては後で詳しく述べる。
【００２７】
８は、筐体１の上部右側に設けた引き出し式の乾燥フィルタで、フィルタを掃除する時にメッシュ式のフィルタ８ａを取り出す。乾燥フィルタ８には、乾燥ダクト２９が接続している。乾燥ダクト２９は、筐体１の背面内側に設置してあり、外槽２の後部端面下方に設けた吸気口にゴム製の蛇腹管Ｂ２９ａで接続している。乾燥ダクト２９内には、水冷除湿機構（図示せず）を内蔵しており、給水電磁弁１６ｄから給水ホース３２で、水冷除湿機構へ冷却水を供給する。
【００２８】
２８は、乾燥フィルタ８の後ろ側に設けた送風ファンで、吸気口を乾燥フィルタ８に、吐出口をヒータ（図示せず）が内蔵された温風ダクト３１に接続する。温風ダクト３１は、ゴム製の蛇腹管（図示せず）を介して、外槽２の前部開口部に接続している。
【００２９】
乾燥運転時に送風ファン２８を運転し、ヒータに通電すると、洗濯兼脱水槽３内に温風が吹き込み、洗濯物を温め水分が蒸発する。高温多湿となった空気は、乾燥ダクト２９に吸い込まれ、水冷除湿機構を流下する冷却水で冷却除湿されて乾いた低温空気となり、フィルタ８ａを通りヒータで再度加熱され、洗濯兼脱水槽３内に吹き込むように循環する。
【００３０】
フィルタ装置、循環ポンプ２４を中心とした洗濯水の循環系について図２及び図８から図１８を用いて説明する。図８は循環ポンプ及び配管を示す斜視図、図９は循環ポンプ，フィルタケースの配管接続部を示す斜視図、図１７は循環ポンプケーシングの内部を示す斜視図、図１８は循環ポンプのランナーとモータを示す斜視図である。
【００３１】
フィルタケース２３底部奥側には、入水口２３ａ，出水口２３ｂ，循環ポンプ２４の吸入口４３が設けてある。外槽２の排水口２１と入水口２３ａとはホース２２で、排水弁
２５と出水口２３ｂとはホース４９で繋がっている。また、排水弁２５には排水ホース
２６が接続しており、機外へ洗濯水を排水する。
【００３２】
循環ポンプ２４は、ケーシング４２，ランナー４６，循環ポンプモータ４７で構成されている。ケーシング４２はフィルタケース２３と一体で形成されており、ケーシング４２の側壁４２ａの中央部に吸入口４３がある。ケーシング内周面には吐出ポートＡ４４ａと吐出ポートＢ４５ａが隔壁４６ａ，４６ｂを挟んで開口しており、それぞれ吐出口Ａ４４と吐出口Ｂ４５が接続している。隔壁４６ａ，４６ｂはケーシング４２の内側に突出した山形形状で、奥側はケーシング側壁４２ａに接し、軸方向の長さは下で述べる羽根の高さと略同一である。また、隔壁４６ａ，４６ｂの吐出ポート側壁面はほぼ垂直になっている。この実施例では、隔壁４６ａと４６ｂは２つの山形形状になっているが、中央の谷部を有しない台形状の山形形状でもかまわない。
【００３３】
循環ポンプモータ４７の軸にはランナー４６が取り付けられている。ランナー４６には十字型の羽根４６ａ，４６ｂが形成されている。羽根４６ａは中心部が羽根ボス４６ｃと略同一高さで外周部を低くし、羽根４６ｂは羽根４６ａよりも高さを低くしてある。こうすることで、羽根４６ａと羽根４６ｂを跨ぐように糸屑が流入しても、羽根４６ａ高さが外周に向かうほど低くなっているため、遠心力で糸屑が容易にはね飛ばされ、羽根に糸屑がからむことを防止できる。
【００３４】
ランナー正面から見てランナー４６が左回転すると（以後、正回転）、吸入口４３から流入した水は、ランナー４６の遠心力によるポンプ作用でケーシング４２の内周壁に向かい押し出されケーシング４２内を右回転しながら流れるが、ケーシングと羽根との径方向すき間が狭くなる隔壁４６ａにぶつかり流れ方向を変え吐出ポートＡ４４ａから流れ出る。ランナー４６が左回転（以後、逆回転）すると、水は隔壁４６ｂにぶつかり吐出ポートＢ４５ａから流れ出る。このように、ポンプの回転方向を変えることで、特別な流路の切り換え機構を用いずにポンプの吐出方向を変えることが出来る。
【００３５】
ケーシング４２の外周部には複数個の突起部４２ｂがあり、突起部４２ｂを循環ポンプベース４８のリング状のすき間４８ｂに差し込み、ケーシング４２を回転させ、突起部
４２ｂを循環ポンプベース４８に設けたロック部４８ａで抑えることで、ケーシングを固定する。
【００３６】
吐出口Ａ４４は、蛇腹管Ｃ４１を介して外槽カバー２ｄの前側外周壁に取り付けた循環ホース２７に繋がっている。循環ホース２７は、外槽カバー２ｄ上側に設けたノズル27ａに接続している。ノズル２７ａは、薄膜状に水を水平方向に広げる形状（例えばスリット状）になっており、洗濯水を洗濯兼脱水槽３内に向かって散水する。
【００３７】
吐出口Ｂ４５は、蛇腹管Ｄ４０を介して外槽２底部の窪み部２ａに設けた流入口１８に繋がっている。
【００３８】
排水弁２５を閉じた状態で循環ポンプ２４を正回転すると、外槽２内の洗濯水は排水口２１からホース２２を通りフィルタ２３ｃで異物を除去され、循環ポンプ２４に入り、吐出口Ａ４４からはき出され、循環ホース２７を通りノズル２７ａから洗濯兼脱水槽３内に散水される。
【００３９】
循環ポンプ２４を逆回転すると、外槽２内の洗濯水は排水口２１からホース２２を通りフィルタ２３ｃで異物を除去され、循環ポンプ２４に入り、吐出口Ｂ４５からはき出され、流入口１８から外槽２内に戻るように循環する（図５中の太い矢印で示す流れ）。
【００４０】
排水弁２５を開くと、外槽２内の洗濯水は、フィルタ２３ｃを通りホース４５から排水弁２５を経て、排水ホース２２から機外へ排水される。
【００４１】
図１９は、洗濯乾燥機の制御装置３８のブロック図である。５０はマイクロコンピュータで、各スイッチ１３，１３ａに接続される操作ボタン入力回路５１や水位センサ３４，温度センサ５２，振動センサ５３と接続され、使用者のボタン操作や洗濯工程，乾燥工程での各種情報信号を受ける。マイクロコンピュータ５０からの出力は、駆動回路５４に接続され、給水電磁弁１６，排水弁２５，循環ポンプモータ４７，モータ４，送風ファン
２８，ヒータ５５などに接続され、これらの開閉や回転，通電を制御する。また、使用者に洗濯機の動作状態を知らせるための７セグメント発光ダイオード表示器１４や発光ダイオード５６，ブザー５７に接続される。
【００４２】
前記マイクロコンピュータ５０は、電源スイッチ３９が押されて電源が投入されると起動し、図２０および図２１に示すような洗濯および乾燥の基本的な制御処理プログラムを実行する。
【００４３】
ステップＳ１０１
洗濯乾燥機の状態確認および初期設定を行う。
【００４４】
ステップＳ１０２
操作パネル６の表示器１４を点灯表示し、操作ボタンスイッチ１３からの指示入力に従って洗濯コースを設定する。指示入力がない状態では、標準の洗濯コースまたは前回実施の洗濯コースを自動的に設定する。
【００４５】
ステップＳ１０３
操作パネル６のスタートスイッチ１２からの指示入力を監視して処理を分岐する。
【００４６】
ステップＳ１０４
洗剤量検出処理を実行する。この洗剤量検出は、洗い水を給水する前の乾布状態において、洗濯兼脱水槽３を一方向に回転させたときに、規定の回転数１から規定の回転数２まで増速する間のモータ４の駆動電流積算値に基づいて洗濯物の布量を検出するようにモータ４を制御し、検出した布量に基づいて洗剤の適量（洗剤量）を求めることによって行う。洗剤量は、予め設定した布量と洗剤量の対照テーブルを参照することによって求める。
【００４７】
また、この検出結果（布量）に基づいて洗濯時間を求めて設定する。布量検出が行われない時には、標準の洗濯時間を設定する。
【００４８】
ステップＳ１０５
求めた洗剤量を操作パネル８の表示器２５に表示する。
【００４９】
ステップＳ１０６
使用者は、洗剤トレイ７を引き出し、表示された量の粉末洗剤を洗剤トレイ７へ投入する。マイクロコンピュータ５０は、使用者が洗剤を洗剤トレイ７へ入れるのに必要な時間（例えば１分間）待機した後、給水電磁弁１６ｂを開き、洗剤トレイ７へ散水し、粉末洗剤を洗剤容器１９内へ流すよう給水を実行する。粉末洗剤は、給水の水と共に洗剤容器
１９の出水口１９ａから蛇腹管Ａ２０を通り、外槽２の給水口２ａから外槽２の底部窪み部２ａに流下する。
【００５０】
給水口２ａで水は、流れの向きを蒸気弁１１のシート１１ｄで外槽２の内周面に向かうよう整流され（図４および図７の矢印で示すように流れる）、外槽２の内周面に沿って流れるため、水や洗剤が洗濯兼脱水槽３内に流れ込むことはない。このようにシート１１ｄの整流作用で、未溶解の粉末洗剤が直接洗濯物に触れることによる色落ちや色むらの発生を防止できる。
【００５１】
また、洗剤が液体洗剤の場合は、給水電磁弁１６ｂが開く前に高濃度の液体洗剤が外槽２内に流下するのを防ぐために、洗剤トレイ７に液体洗剤用の部屋を設け、ここに一旦溜めておき、給水電磁弁１６ｂからの給水で希釈しながら外槽４へ供給するのが一般的である。本実施例では、シート１１ｄの整流作用で洗剤が直接洗濯兼脱水槽３内へ流入することがないため、液体洗剤用の部屋を洗剤トレイに設ける必要がなく、洗剤トレイ７の構造を簡単化でき、低コスト化を図ることができる。
【００５２】
ステップＳ１０７
洗剤溶かし水位まで給水したら給水を停止する。この実施例では、給水量を洗剤量（布量）に応じて制御するようにした。具体的には、洗剤量が１７グラムから４４グラムであり、水量は約３リットルから約７リットルとなる。給水量の制御は、水位センサ３４により行う。この水量は、この後の洗剤溶かし工程（ステップＳ１０８）で生成される洗い水の洗剤濃度が、最大で１０倍となるように設定している。ここで、洗剤濃度は洗剤メーカの指定標準濃度（一般の粉末合成洗剤では水３０リットルに洗剤２０グラムを溶かしたときの濃度）を１倍と定義している。洗剤濃度を最大で１０倍とした理由は、次による。
【００５３】
一般の粉末合成洗剤には、界面活性剤のほか、助剤として酵素やアルカリ剤，水軟化剤，蛍光増白剤などが含まれている。洗剤濃度が高すぎると、蛍光増白剤による衣類の色むら（紫外線を当てると特に顕著）が発生するという問題がある。この色むらを目立たなくするには、洗剤濃度を１０倍以下に抑える必要がある。
【００５４】
ステップＳ１０８
循環ポンプモータ４７に通電し、循環ポンプ２４を逆回転させ洗剤溶かしを実行する。外槽２の底部及び窪み部２ｂに溜まっている水と洗剤は、排水口２１からホース２２，フィルタ２３ｃを通り吸入口４３からケーシング４２内に入る。そして、吐出口Ｂ４５からはき出され、蛇腹管Ｄ４０を通り流入口１８から窪み部２ａに戻るように循環する。洗剤は、ランナー４６の羽根４６ａ，４６ｂで攪拌され溶解していき、高洗剤濃度の洗い水が生成される。洗剤溶かしの時間は１分間から２分間である。
【００５５】
流入口１８から窪み部２ａへ流れ出る時の流れ方向は上向きであるが、隔壁２ｂに当たり、流れ方向を排水口２１側に変える（図５中の太い矢印）。このため、洗剤溶かし初期段階で未溶解の洗剤が多く含まれる水が循環しているときでも、未溶解の洗剤が洗濯槽３内に直接流入することを防ぐことができる。しかし、隔壁２ｂに当たった水の一部が外槽カバー２ｄ側に流れることがある。外槽カバー２ｂ側で流れの滞留部分があると、この部分に未溶解洗剤が堆積する恐れがある。
【００５６】
そこで、窪み部２ａへ戻った水を確実に排水口２１側へ向かうようにする整流部材を設けてもよい。図２２は流入口１８に整流部材１８ａを設けた外槽２底部の断面図である。図２３は図２２の２点鎖線Ｃ−Ｃ線で切断し矢印方向から見た窪み部２ａである。整流部材１８ａは円筒形で窪み部２ａ内に突出するように設ける。上部は蓋１８ｂで塞がれており、円筒面には排水口側に向かう開口部１８ｂを有している。開口部１８ｃは、円筒面の約半分を切り欠いて形成している。また、開口部１８ｃの開口方向は、窪み部２ａの長手方向もしくは少し窪み部２ａの側壁２ａ１側に向いている。流入口１８から出た水は、太い矢印で示したように整流部材１８ａの開口部１８ｃから排水口２１に向かい流れる。外槽カバー２ｄ側には整流部材１８ａの円筒面があるため、外槽カバー２ｄ側に水が流れることはなく、未溶解洗剤が堆積することはない。
【００５７】
また、フィルタ２３ｃは格子状のフィルタであり、通過する未溶解の粉末洗剤が堆積することはない。
【００５８】
洗剤溶かし中（循環ポンプが逆回転中）、隔壁４６ｂの作用で吐出ポートＡ４４ａ部の圧力は吐出ポートＢ４５ａの圧力より大幅に低くなっているため、水や未溶解の洗剤がノズル２７ａから洗濯兼脱水槽３内に出ることはない。しかし、蛇腹管Ｃ４１や循環ホース２７の途中まで未溶解の洗剤が入り込むことがある。そこで、洗剤溶かし中に循環ポンプ２４を一時停止するようにする。循環ポンプ２４が停止すると、蛇腹管Ｃ４１や循環ホース２７内に浸入した未溶解洗剤はケーシング４２内に戻る。そして、循環ポンプ２４を再度運転することで未溶解洗剤を無くすことができる。循環ポンプ２４の一時停止は、洗剤溶かし中に３回から４回実施する。また、循環ポンプ２４の停止時間は、１秒間あれば十分である。
【００５９】
洗剤溶かし中の水量は、上記のように３リットルから７リットルである。この実施例のドラム式洗濯乾燥機では、この水量を給水すると水位は洗濯兼脱水槽３内に入る。このため、洗剤溶かし中に洗濯物に高い洗剤濃度の洗い水が染み込んでいく。このとき、モータ４に通電し洗濯兼脱水槽３を低速回転（毎分３０から４０回転）させることで、洗い水を洗濯物に均等に浸透させるようにしてもよい。
【００６０】
洗剤濃度が約１倍を超えると、洗剤に含まれる界面活性剤がミセルと呼ばれる集合体を形成するようになる。ミセルは、界面活性剤の疎水基が中心を向き、親水基が外側を向いた球状体で、その直径は１０ｎｍ程度である。疎水基に囲まれたミセルの中心部は、可溶化作用が大きく、油性物質や脂質を溶解する能力が非常に高い。また、ミセルの数は、洗剤濃度が高いほど多くなる。
【００６１】
ステップＳ１０９
前洗いを実行する。この前洗いは、洗濯兼脱水槽３を正逆回転（毎分３５回転から４５回転）させながら、循環ポンプモータ４７に循環ポンプ２４を正回転することによって外槽３の底部の洗い水をノズル２７ａから洗濯物上に降り掛ける。洗濯物は、洗濯兼脱水槽３の内周壁面に設けられたリフターで持ち上げられ、落下する運動を繰り返す。洗濯兼脱水槽３の回転と循環ポンプ２４の運転を間欠的に行い、洗濯兼脱水槽３と循環ポンプ２４の停止期間中に水位センサ３４の検出信号を参照しながら給水電磁弁１６ｂ開いて水位が設定水位を越えないように補給水する。この運転を複数回繰り返すことによって洗濯物にむらなく洗い水を染み込ませるように行う。
【００６２】
第１回目の洗濯兼脱水槽３の正逆回転時には、洗剤濃度が約１０倍の洗い水が洗濯物に降り掛かって該洗濯物内に浸透していく。高濃度の洗い水は、ノズル２７ａから薄い膜状に広がりながら散布されるため、洗剤の浸透作用で洗濯物にむらなく浸透する。洗濯物が多い場合、ノズル２７ａからの洗い水は洗濯兼脱水槽３の外周に近い部分の洗濯物へ行き渡りにくいが、ステップＳ１０８の洗剤溶かし中に洗濯兼脱水槽３を回転させることで、洗濯兼脱水槽３の外周側から洗濯物に洗い水が浸透するため、洗濯物全体に洗い水が浸透する。
【００６３】
洗濯物に浸透した高濃度の洗い水中には上述のミセルが多く含まれているため、油汚れを溶解し、洗濯物から汚れが浮き上がらせる効果が非常に大きく、高い洗浄力が得られる。
【００６４】
ノズル２７ａは、外槽カバー２ｄの前側上部にある。そこで、循環ポンプ２４の回転数を増減させて流量を変化させることで、シャワーの到達距離が変化させ、洗濯物へより均一に散布することができる。すなわち、回転数を低くし流量を少なくすると、シャワーを洗濯兼脱水槽３の手前側にある洗濯物に散布でき、回転数を高くして流量を増やすと、シャワーを洗濯兼脱水槽３の奥側にある洗濯物に散布できる。
【００６５】
補給水を繰り返すことによって洗濯物に降り掛かる洗い水の洗剤濃度が低下して行き、前洗い終了段階では、標準濃度の２倍程度となる。
【００６６】
ステップＳ１１０
本洗いを実行する。洗濯兼脱水槽３を正逆回転（毎分３５回転から４５回転）させながら循環ポンプ２４を正回転させて外槽３の底部に溜まった洗い水をノズル２７ａから洗濯物に降り掛ける。
【００６７】
最後に、洗濯水循環ポンプ２４の運転を停止して洗い水の循環を止め、洗濯兼脱水槽３を短周期で正逆回転させながら、洗濯物をほぐす運転を実行本洗い時間を終了させるようにする。
【００６８】
ステップＳ１１１
第１回目の溜めすすぎを実行する。この溜めすすぎでは、先ず、排水弁２５を開き外槽３内の水を排水し、排水が完了したことを水位センサ３４で検知した後に、洗濯兼脱水槽３を一方向（この実施例では、洗濯機の正面から見て反時計方向）に回転させて洗濯物に含まれている洗い水を遠心脱水する。
【００６９】
その後、給水電磁弁１６ｂを開き、水道水を洗剤容器１９に供給し、給水口２ａから設定水位になるまで外槽３底部に給水する。次に、本洗いと同様、洗濯兼脱水槽３を反転回転（毎分３５回転から４５回転）させながら、循環ポンプ２４を正回転して、外槽３の底部に溜まったすすぎ水をノズル２７ａから洗濯物に振り掛けるように循環し、すすぎを実行する。
【００７０】
次に、洗濯兼脱水槽３の回転と循環ポンプ２４の運転を停止した状態で外槽３の底部に溜まるすすぎ水の水位を水位センサ３４で検出しながら水位が設定水位を越えないように補給水を行う。
【００７１】
次に、洗濯兼脱水槽３を反転回転（毎分３５回転から４５回転）させながら、循環ポンプ２４正回転して、外槽３の底部に溜まったすすぎ水をノズル２７ａから洗濯物に振り掛けるように循環し、すすぎを実行する。ノズル２７ａから出るすすぎ水は、薄膜状となって洗濯物に散布されるため、洗濯物にむらなく掛かり、洗濯物に含まれる洗剤成分を効率よく希釈でき、すすぎ性能を高くできる。
【００７２】
その後、電動循環ポンプ２４を停止してすすぎ水の循環を止めた状態で、洗濯兼脱水槽３を短周期で正逆回転させ、ほぐし運転を行う。
【００７３】
ステップＳ１１２
第２回目の溜めすすぎを実行する。この第２回目の溜めすすぎは、柔軟仕上げ剤給水電磁弁１６ｃを開いて洗剤トレイ７の柔軟仕上げ剤投入室に給水することによって、柔軟仕上げ剤投入室内の柔軟仕上げ剤を外槽３の底部に導入する制御を付加する。それ以外の動作は、第１回目の溜めすすぎと同様に行う。
【００７４】
ステップＳ１１３
最終脱水処理を実行する。最終脱水は、排水弁２５を開放としたままの状態で洗濯兼脱水槽３を一方向（この実施例では、洗濯機の正面から見て反時計方向）に高速回転させるようにモータ４を運転して洗濯兼脱水槽３内の洗濯物を遠心脱水するように行う。この最終脱水の運転時間は、所望の脱水率が得られる時間に設定する。
【００７５】
ステップＳ１１４
洗濯乾燥コースが設定されているかどうかを確認して処理を分岐する。
【００７６】
ステップＳ１１５
洗濯乾燥コースが設定されている場合は、乾燥を実行する。この乾燥は、排水弁２５を開放したままの状態として、洗濯工程と同様に、洗濯兼脱水槽３を正逆回転させながら、乾燥ダクト２９の途中に設けた送風ファン２８を運転することによって外槽３内の空気を乾燥ダクト２９内に吸い出し、この乾燥ダクト２９内を通過するときに該乾燥ダクト２９内に設置した除湿機構から流れ落ちる冷却水（冷却水給水電磁弁をひらき供給する）に触れさせて冷却除湿した後にリントフィルタ８を通して糸屑を捕集し、ヒータによって加熱した後に温風吹き出し口から洗濯兼脱水槽３内に吹き込むことにより行う。
【００７７】
乾燥は、温度センサにより温風の温度を監視しながら実行し、温度変化の割合が所定の値になったときに終了する。
【００７８】
このように構成した洗濯乾燥機は、次のような良さがある。洗剤量（布量）検知手段で検出した洗濯物の量（洗剤の量）に応じた水量の水を洗剤と一緒に外槽の底部に溜まるように給水し、循環ポンプを逆回転することで、水を外槽底部から循環ポンプを経て外槽底部へ戻るように循環しながら洗剤を溶かし高洗剤濃度の洗い水を生成する。このときの洗剤濃度は、洗濯物の量によらずほぼ一定にできる。そして、循環ポンプを正逆転することで、高洗剤濃度の洗い水を外槽上部に導き、ノズルで薄膜状に広げて洗濯物に降り掛け、洗濯物にむらなく浸透させる。このように、循環ポンプの回転方向を変えることで、洗剤を溶かし高洗剤濃度の洗い水の生成と、生成した洗い水の循環散水という２つの動作を１台の循環ポンプで実現でき、低コスト化や洗い水の循環経路の簡単化ができる。
【００７９】
また、洗剤溶かし中に洗濯兼脱水槽を低速回転することで、生成した洗い水を洗濯兼脱水槽の外周側から洗濯物に浸透させ、次に、循環ポンプで洗濯兼脱水槽の前側から散水することで、より一層洗濯物へ洗い水を均一に行き渡らせることができる。高濃度洗剤液の浸透作用や界面活性剤のミセルによる油汚れの可溶化作用などの化学的な洗浄力により洗濯物から汚れを浮き上がらせる。その後、水を補給し、洗い水を洗濯物に降り掛けるように循環させながら洗濯兼脱水槽を正逆回転させて洗濯物をたたき洗いすることで、洗濯物から浮き上がっていた汚れが洗濯物から離脱し、高い洗浄効率を得ることができる。
【００８０】
さらに、洗剤溶かし中に循環ポンプの回転を一旦止め、再度運転することを繰り返すことで、配管中に入り込む未溶解洗剤を無くすことができる。
【００８１】
次に本発明の主要部であるフィルタ装置、循環ポンプについて説明する。先に図９〜図１８を引用してフィルタ装置、循環ポンプ、洗濯水の循環系に亘って述べた。ここでは、同じく図９〜図１８を引用し、主にフィルタ装置が捕集する糸くず、衣類止め具（ボタン）等を含む異物の捕集量向上に関する観点で説明する。
【００８２】
フィルタ装置は、図９〜図１８に示すように、フィルタケース２３と、前記フィルタケース２３の内部に着脱可能に装着されるフィルタ２３ｃと、フィルタケース２３の外側に設けられる循環ポンプ２４を有する。循環ポンプ２４はフィルタケース２３から離して別個に設けることも可能である。
【００８３】
フィルタケース２３の底部奥側には、入水口（ケース流入路）２３ａ、出水口（ケース排水路）２３ｂ、循環ポンプ２４の吸入口（吸込口）４３（図９、図１７）とフィルタケース内とを連通する流出連通口が設けてある。流出連通口は吸入口（吸込口）４３に隣接し、かつ一体に連ねて形成されているので吸入口（吸込口）４３の一部とも云える。フィルタ２３ｃで異物が除去されたフィルタケース２３内の洗濯水は流出連通口、吸入口（吸込口）４３を経て循環ポンプ２４に吸い込まれる。
【００８４】
フィルタ２３ｃは、異物が捕集される捕集収容部２３ｃ１と、洗濯水がケース流入路２３ａから捕集収容部２３ｃ１に流れ込むフィルタ流入口２３ｃ２と、洗濯水から異物を捕集する捕集収容部２３ｃ１に設けた目孔２３ｃ３と、フィルタ流入口２３ｃ２からケース排水路（出水口）２３ｂに向かう流れの行く手を阻んで分散させる捕集収容部２３ｃ１に設けた分散壁部２３ｃ４（図１２〜図１５）を有する。
【００８５】
この分散壁部２３ｃ４は、図９に示すように、フィルタ２３ｃがフィルタケース２３内に収まった状態では吸入口（吸込口）４３および流出連通口から見える。つまり、分散壁部２３ｃ４は吸入口（吸込口）４３および流出連通口と対向するように位置している。
【００８６】
また、フィルタ２３ｃは、基部２３ｃ５と、基部２３ｃ５に回動自在に支持された取っ手２３ｄと、捕集収容蓋２３ｃ６を有する。捕集収容部２３ｃ１は上面側が開口する樋形状を有し、大部分が目孔２３ｃ３で形成されている。分散壁部２３ｃ４は目孔２３ｃ３がなく、洗濯水の通過は阻止される。取っ手２３ｄは外周に雄ねじを有する（図１３〜図１５）。フィルタケース２３の一端（上端側）に設けた挿入口よりフィルタ２３ｃを挿入し、取っ手２３ｄを回してフィルタケース２３に設けた雌ねじに取っ手２３ｄの雄ねじを螺合する（図１１、図１２）。これにより、フィルタ２３ｃはフィルタケース２３に固定される。
【００８７】
捕集収容蓋２３ｃ６は、大部分が目孔２３ｃ３で形成されている。捕集収容蓋２３ｃ６にもフィルタ流入口２３ｃ２がある。フィルタ流入口２３ｃ２は捕集収容部２３ｃ１と捕集収容蓋２３ｃ６に跨って形成されている。この実施例では、フィルタ流入口２３ｃ２は捕集収容蓋２３ｃ６に多く占め、捕集収容部２３ｃ１には僅かであるが、占める割合が逆または半々、あるいは一方だけでも可能である。
【００８８】
捕集収容蓋２３ｃ６は捕集収容部２３ｃ１の先端側（下端側）に回動自在に支持され、図１３（閉じ状態）、図１４図１５（開状態）に示すように開閉ができる。捕集収容蓋２３ｃ６は両側に係止爪２３ｃ７を有し、捕集収容蓋２３ｃ６を閉じると捕集収容部２３ｃ１の両側に設けた係合部２３ｃ８に係止爪２３ｃ７が掛かり、閉じ状態が保持される（図１６）。
【００８９】
捕集収容蓋２３ｃ６は、回動自在に支持するヒンジのところで捕集収容部２３ｃ１と分離される別体のものとして作られている。逆にヒンジのところでつながる一体ものとして形成することも可能である。また、ヒンジのところが捕集収容部２３ｃ１の先端側（下端側）にしているが、ヒンジを捕集収容部２３ｃ１の側面のところに設けたり、あるいは捕集収容蓋２３ｃ６を捕集収容部２３ｃ１に摺動自在に設けることも可能である。
【００９０】
フィルタ装置は、図１１に示すように、フィルタケース２３の先端側（循環ポンプ２４がある側）を下に、フィルタ２３ｃを挿入する挿入口側を上にして斜めに配置される。この斜め配置は、図５、図８の図示からも理解できる。この斜めに配置されたフィルタ装置は、図１１に示すように、フィルタ２３ｃの捕集収容部２３ｃ１の上端は外槽２に溜まる洗濯水の水位ＷＬと同レベルないし上側に位置する。また、捕集収容蓋２３ｃ６の上端も洗濯水の水位ＷＬと同レベルないし上側に位置する。
【００９１】
フィルタ装置に捕集される異物は、捕集収容部２３ｃ１に捕獲される。捕集収容蓋２３ｃ６を設けたので、捕集収容部２３ｃ１に入った異物の流出が抑えられ、捕集が良く行われる。また、捕集収容部２３ｃ１、捕集収容蓋２３ｃ６ともに上端が洗濯水の水位ＷＬと同レベルないし上側に位置するので、異物の流出が抑えられる。捕集収容部２３ｃ１に捕集された異物は、フィルタ２３ｃをフィルタケース２３から抜き外し、捕集収容蓋２３ｃ６を開けて容易に除去することができる。
【００９２】
フィルタ２３ｃは、図１６に示すように、左側面と下面が平らな扁平部２３ｃ９、２３ｃ１０を有する。この扁平部２３ｃ９、２３ｃ１０はフィルタ２３ｃの長手方向に延在している。フィルタ２３ｃは左側面と下面を除き円弧の形状をしている。筒形のフィルタケース２３に収まるフィルタ２３ｃは、円弧形状のところはフィルタケース２３の内周に当接する。扁平部２３ｃ９、２３ｃ１０と、フィルタケース２３の内周との間にケース内部流路２３ｅ、２３ｆが形成される。ケース内部流路２３ｅにより、図９を引用して前述した分散壁部２３ｃ４は流出連通口（吸入口（吸込口）４３と連通するところ）とは洗濯水が流れる間隔を空けて流出連通口と対向するように置かれる。
【００９３】
さて、循環ポンプ２４の運転で、外槽２内の洗濯水は第１の流路２２（図２、図２２）、
入水口（ケース流入路）２３ａ、フィルタ流入口２３ｃ２を経てフィルタ装置に備わるフィルタ２３ｃの捕集収容部２３ｃ１に流入する。洗濯水の異物は捕集収容部２３ｃ１の目孔２３ｃ３で捕集される。異物が濾過された洗濯水はフィルタ２３ｃを通過してケース内部流路２３ｅ、２３ｆを流れ、流出連通口および吸入口（吸込口）４３を通過して循環ポンプ２４に吸い込まれる。そして、循環ポンプ２４の吐出口４４または４５から吐き出された洗濯水は外槽２内に戻る。この洗濯水の循環が洗濯運転中に繰り返され、異物の除去が行われる。
【００９４】
斯かる洗濯水の循環では、分散壁部２３ｃ４が流出連通口（吸入口（吸込口）４３の一部）と対向して置かれているので、フィルタ２３ｃ内から循環ポンプ２４の流出連通口（吸入口（吸込口）４３の一部）に向かう流れは、行く手が阻まれて分散して流出連通口に向ようになる。
【００９５】
すなわち、分散壁部２３ｃ４によって行く手が阻まれる洗濯水の流れは、分散壁部２３ｃ４を避けて縦横に分散するので、異物の捕集は捕集収容部２３ｃ１の広範囲で行われるようになる。偏りなくフィルタ２３ｃの広範囲で捕集するので異物収集量は向上する。
【００９６】
また、分散壁部２３ｃ４により分散した洗濯水は、捕集収容部２３ｃ１の目孔２３ｃ３を通過してケース内部流路２３ｅ、２３ｆを流れ、循環ポンプ２４の流出連通口（吸入口（吸込口）４３の一部）に吸い込まれる。ケース内部流路２３ｅ、２３ｆがフィルタ２３ｃの長手方向に延在しているので、広範囲に及ぶ捕集収容部２３ｃ１の捕集が維持される。
【００９７】
また、異物の捕集が行われるところは、図１６に示すように、捕集収容部２３ｃ１と捕集収容蓋２３ｃ６で囲われた空間である。フィルタ流入口２３ｃ２から流入し、分散壁部２３ｃ４に突き当たって分散する洗濯水はその空間で回るような流れにもなるので、異物の捕集が広範囲に拡大し、異物収集量が向上する。
【００９８】
更に、フィルタ２３ｃの掃除はフィルタ２３ｃをフィルタケース２３から抜き外してする。捕集収容部２３ｃ１の開口側が捕集収容蓋２３ｃ６で囲って塞いでいるので、フィルタ２３ｃを抜き外すときに捕集した異物が毀れ落ちず、掃除がし易い。
【００９９】
洗濯水の排水時には、出水口（ケース排水路）２３ｂ（図１０）から排水される。この排水時には、循環ポンプ２４の流出連通口（吸入口（吸込口）４３の一部）に洗濯水は吸い込まれる。しかし、洗濯水がフィルタ流入口２３ｃ２から出水口（ケース排水路）２３ｂ（図１０）に向かう方向に分散壁部２３ｃ４が位置するので、循環ポンプ２４の運転時と同様に異物の捕集が捕集収容部２３ｃ１の広範囲で行われ、異物捕集量は向上する。
【０１００】
また、捕集収容部２３ｃ１の目孔２３ｃ３は分散壁部２３ｃ４から離れたところでは大きな目孔にしている。分散壁部２３ｃ４に近いところに比べ、離れたところは洗濯水の流れが緩やかになるので目孔を大きくしたのである。
【０１０１】
また、フィルタ２３ｃに設けるフィルタ流入口２３ｃ２は捕集収容部２３ｃ１と捕集収容蓋２３ｃ６に跨って設けている。捕集収容蓋２３ｃ６を開くと、フィルタ流入口２３ｃ２は捕集収容部２３ｃ１と捕集収容蓋２３ｃ６の二手に分かれて図１５に示すように広がるので、フィルタ流入口２３ｃ２の回りに付着する糸くず（異物）の除去が容易である。
【符号の説明】
【０１０２】
１…筐体
２…外槽
３…洗濯兼脱水槽（内槽）
２３…フィルタケースと、
２３ｃ…フィルタ、
２３ａ…ケース流入路、
２３ｂ…ケース排水路、
２３ｃ１…捕集収容部、
２３ｃ２…フィルタ流入口、
２３ｃ３…目孔、
２３ｃ４…分散壁部
【図１】
2012080928.tif 000003
【図２】
2012080928.tif 000004
【図３】
2012080928.tif 000005
【図４】
2012080928.tif 000006
【図５】
2012080928.tif 000007
【図６】
2012080928.tif 000008
【図７】
2012080928.tif 000009
【図８】
2012080928.tif 000010
【図９】
2012080928.tif 000011
【図１０】
2012080928.tif 000012
【図１１】
2012080928.tif 000013
【図１２】
2012080928.tif 000014
【図１３】
2012080928.tif 000015
【図１４】
2012080928.tif 000016
【図１５】
2012080928.tif 000017
【図１６】
2012080928.tif 000018
【図１７】
2012080928.tif 000019
【図１８】
2012080928.tif 000020
【図１９】
2012080928.tif 000021
【図２０】
2012080928.tif 000022
【図２１】
2012080928.tif 000023
【図２２】
2012080928.tif 000024
【図２３】
2012080928.tif 000025